(57)【要約】【課題】  騒音の発生を抑えつつ、十分な量の外気を床下空間内の底部へ向けて流入させて冷気の上昇を促進することができるとともに、床下換気口を密閉度高く閉鎖できる床下換気装置を提供すること。【解決手段】  床下換気口５７の内側端部５７ａを開閉可能なウイング６１と、このウイング６１の支軸（６５，６５）を回動可能に保持するとともに横移動可能に保持する支軸保持部（５３、５３）と、作動棒７５と押圧ばね７９と位置決め保持機構８１と連結紐８９とを含み構成された防音・換気口閉鎖装置７０とを備える。【選択図】      図１
2006046669.tif 000002
【特許請求の範囲】
【請求項１】
床下換気口から床下空間内へ流入した外の空気が当該床下空間と小屋裏空間とを連通する空気流通層を上昇して小屋裏換気口から排出可能に形成された住宅に適用される床下換気装置において、
床下換気口の内側端部を開閉可能に形成された蓋部とカウンタウエイト部とを有するウイングを備え、
このウイングの両側面に、それぞれ支軸を当該ウイングの重心の近傍でかつ当該重心よりも床下換気口の内側端部寄りとなるように突設し、
ウイングの支軸を回動可能に保持するとともに当該ウイングの前面および背面に作用する風圧によって床下換気口の内側端部から遠ざかる方向および接近する方向に横移動可能に保持する支軸保持部を設け、
床下換気口内に保持部材を介して横方向に移動可能に設けられた作動棒と、この作動棒を床下空間へ向けて付勢する押圧ばねと、ウイングが閉方向へ回動して床下換気口の内側端部近傍の当接直前位置に達した場合に当該ウイングの前面の所定部位と棒先端部が当接するような作動状態位置に作動棒を位置決め保持しかつ床下換気口の内側端部と当接した状態のウイングの前面から所定距離離れた待機位置に作動棒を係止する位置決め保持機構と、作動棒の棒先端部とウイングの前面の所定部位とを連結する柔軟な連結紐とを含み、当該連結紐は作動棒が作動状態位置にある場合にはウイングの開方向の回動を許容しかつ作動棒が待機位置に位置決め保持されている場合にはウイングが床下換気口の内側端部と当接した状態を保持しうるような長さを有するように形成された防音・換気口閉鎖装置と、
を具備する床下換気装置。
【請求項２】
前記支持保持部が、前記ウイングの幅以上の間隔をあけて対向配設された一対の支持板に設けられた支持溝からなり、当該両支持溝はその幅が前記ウイングの支軸の直径よりも大きくかつ床下換気口の内側端部よりも床下空間側へ遠く離れるにしたがって高さレベルが連続的に下がるよう斜めの溝となっていることを特徴とする請求項１記載の床下換気装置。
【請求項３】
前記作動棒の棒先端部に装着可能で前記ウイングが閉方向回動時に半開き位置よりは回動しないように回動を規制する半開き用付属部材を備えたことを特徴とする請求項１又は２記載の床下換気装置。
【請求項４】
前記作動棒の棒先端部が当たる前記ウイングの前面部位に衝撃を吸収する部材を貼着したことを特徴とする請求項１〜３のいずれか１項に記載の床下換気装置。
【請求項５】
前記ウイングの背面を、前記床下換気口の内側端部を閉鎖した場合に斜め下方を向くように形成した請求項１〜４のいずれか１項に記載の床下換気装置。
【請求項６】
前記床下換気口の内側端部を前記床下空間の底面に対向する斜め下向きに形成したことを特徴とする請求項１〜５のいずれか１項に記載の床下換気装置。
【請求項７】
前記防音・換気口閉鎖装置の連結紐が、前記作動棒が作動状態位置に位置決めされている場合に前記ウイングのカウンタウエイト部が床下換気口の内側端部と当接する位置まで開方向に回動するのを規制する長さとなるように形成した請求項１〜６のいずれか１項に記載の床下換気装置。
【請求項８】
前記作動棒を前記床下換気口外側端部から手を入れて操作して作動状態または待機状態に切換え可能な構成した請求項１〜７のいずれか１項に記載の床下換気装置。
【発明の詳細な説明】
【技術分野】
【０００１】
本発明は、自然の力を利用して壁内などに空気を通すことにより換気を積極的に行う住宅に適用される床下換気装置に関する。
【背景技術】
【０００２】
床下換気口から床下空間内へ流入した外の空気が当該床下空間と小屋裏空間とを連通する空気流通層を上昇して小屋裏換気口から排出可能に形成された住宅が普及しつつある。かかる住宅の一例として高気密・高断熱住宅がある。図１１および図１２に高気密・高断熱住宅の従来構成（例えば、特許文献１参照）を示す。
【０００３】
図１０において、外壁２と内壁４との間の壁内空間は、断熱材１０によって区画されており、断熱材１０と外壁２との間および断熱材１０と内壁４との間にはそれぞれ壁内空気流通層（２０，２２）が形成されている。
【０００４】
床下空間３０を形成する基礎３１には、複数の床下換気口３５が設けられているとともに、各床下換気口３５を開閉可能な床下換気装置（図１１，１２では図示省略｝が設けられている。各床下換気口３５等は、東西南北にバランスよく配置されている。また、小屋裏，棟あるいは屋根には、開閉可能な小屋裏換気口４５が設けられている。なお、図１１において、３２は床下空間の底部を形成する土間コンクリートである。
【０００５】
一方、屋根部７は、屋根３と、屋根３の下面から離れて設けられた断熱材１１とから構成されており、両者（１１，３）間には屋根側空気流通層２４が形成されている。
【０００６】
なお、上記した各断熱材（１０，１１）の上部および下部には、それぞれ上部一方向弁（１２，１３）および下部一方向弁（１４，１５）が設けられている。各一方向弁（１２，１３，１４，１５）は、上昇する空気は通すが下降する空気は通さないように形成されている。
【０００７】
上記した構造の高気密・高断熱住宅では、寒い冬には、図１１（Ａ），（Ｂ）に示すように、小屋裏換気口４５が閉鎖されるとともに、床下換気口３５が床下換気装置によって閉鎖される。
【０００８】
これにより、冬の昼間、日が当たる側（図１１（Ｂ）中左側）の壁内空気流通層２０および屋根側空気流通層２４内の空気は、外壁２および屋根３を通じて太陽熱で暖められる。この暖められて軽くなった空気は、同図に矢印で示すように、各空気流通層（２０，２４）と連通する小屋裏空間４０、日の当たらない側（図１１（Ｂ）中右側）の壁内空気流通層２２および床下空間３０を循環して、各部屋５を均一に暖める。また、床下空間３０の底部を形成する土間コンクリート３２を暖める。
【０００９】
また、冬の夜間は、図１１（Ａ）に示すように、壁内空気流通層（２０，２２）および屋根側空気流通層２４内に空気が閉じ込められて断熱層となり、断熱材（１０，１１）とともに住宅内を外部から熱遮断する。そして、土間コンクリート３２に蓄えられていた熱が放熱されて壁内空気流通層（２０，２２）等を暖める。これにより、各部屋５の温度低下が抑えられる。
【００１０】
次に、暑い夏には、図１２（Ａ），（Ｂ）に示すように、小屋裏換気口４５が開放されるとともに、床下換気口３５が床下換気装置によって開放される。
【００１１】
これにより、夜間には、図１２（Ａ）に示すように、冷えた外気が床下空間３０に取り込まれる。この取り込まれた外気は、土間コンクリート３２等を冷やすとともに、壁内空気流通層（２０，２２）内を上昇し、小屋裏換気口４５から自然排出される。こうした通風によって各部屋５は涼しくなる。
【００１２】
また、昼間は、同図（Ｂ）に示すように、日が当たる側の壁内空気流通層２０および屋根側空気流通層２４内の空気は暖められて上昇気流となる。そのため、この上昇気流に引き寄せられて、床下換気口３５を通して床下空間３０内へ流入した空気は夜間に土間コンクリート３２に蓄えられていた冷気とともに上昇する。これにより、各部屋５の温度上昇が抑えられる。
【００１３】
ところで、上記した床下換気装置が、単に床下換気口３５を開閉する機能を有するだけでは、夏場に次のような不具合を生じる。
【００１４】
すなわち、夏場には、床下換気装置によって床下換気口３５は開放されるが、例えば図１２（Ａ）中右側の床下換気口３５を通って床下空間３０内に取り込まれた外気が当該床下空間３０内を横方向に流動して、同図中左側の床下換気口３５から外部へ流出してしまうことがある。このような場合には、土間コンクリート３２などに夜間蓄えられた冷気が外部へ無駄に放出されてしまうことになる。
【００１５】
また、外で風が吹いている場合、各床下換気口３５を介して床下空間３０内に流入する空気の量よりも、当該空間３０から外へ流出する空気の量の方が多くなる。そのため、床下空間３０と壁内空気流通層（２０，２２）と小屋裏空間４０との間の空気バランスによって、暖められて小屋裏空間４０等へ上った空気が逆に下へ引っ張られることになる。その結果、各部屋５の温度上昇を抑えることができなくなり、蒸し暑くなってしまう。
【００１６】
そこで、通常、床下換気装置には、床下換気口３５を開閉する機能の他に、外から床下空間３０内へ流入する空気（風）は通すが逆は通さない機能が付加されている。
【００１７】
かかる床下換気装置の従来例を図１３に示す。
【００１８】
図１３に示す床下換気装置９０は、上端部が支軸９２を介して回動可能に吊り下げられた開閉板９１を有しており、この開閉板９１によって床下換気口３５を開閉可能に構成されている。
【００１９】
上記開閉板９１に外から空気（風）ＡＲが当たると、開閉板９１は内方へ支軸９２を中心として回動する。すると、開閉板９１と床下換気口３５との間には間隙が形成され、当該間隙から空気ＡＲが床下空間３０内へ流入する。一方、床下空間３０内で空気が流動して開閉板９１に背面側から当たった場合には、当該開閉板９１は床下換気口３５に押し付けられて閉鎖状態を維持するので、床下空間３０内の空気が外部へ流出するのが阻止される。
【特許文献１】特開２００３−１２０９５８号公報
【発明の開示】
【発明が解決しようとする課題】
【００２０】
ところで、上記した床下換気装置９０では、夏の昼間、夜間に土間コンクリート３２に蓄えられていた冷気を十分に上昇させることができず、各部屋５の温度上昇を期待するほど抑止できないことが指摘されている。
【００２１】
そこで、本発明者は、各部屋５の温度上昇抑制が不十分となる原因を解明すべく、夏場に床下空間３０の各高さ位置に温度センサを設置して温度測定してみた。すると、十分に低温（例えば１５℃｝であったのは土間コンクリート３２とその表面直近の厚さ数ｃｍの空気層だけで、この冷気が蓄えられた部分（冷気蓄積部ＣＡ）よりも上の部分はそれほど低温でもないことが判明した。
【００２２】
この実験結果を踏まえると、床下換気装置９０の開閉板９１を押して床下空間３０内へ流入した空気（ＡＲ）が、上記冷気蓄積部ＣＡと十分に接触あるいは混入しないまま上昇気流となってしまうと、冷気が壁内空気流通層（２０，２２）等へ十分に上がらなくなり、このことが各部屋５の温度上昇を抑えられない主原因であると推察される。
【００２３】
そこで、上記不都合を解消する方策として、図１４に示すように、床下換気装置９０の開閉板９１が開方向に回動可能な範囲をストッパ９５を設けることにより狭くして、床下換気口３５を通過した空気（ＡＲ）が床下空間３０の冷気蓄積部ＣＡへ向かうようにすることが考えられる。
【００２４】
これにより、空気（ＡＲ）が冷気蓄積部（ＣＡ）と十分に接触あるいは混入して冷やされたり、既に十分に冷やされている空気が撹拌されて冷気蓄積部（ＣＡ）より上方部へ移動したりする。これにより、十分に冷やされた空気が上昇されることになる。
【００２５】
しかし、図１４に示す構成では、開閉板９１の開き量が少なくなるため、空気抵抗が大きくなる。そのため、床下空間３０内へ外気を十分に導入できなくなり、その結果冷やされた空気の上昇量が不足して各部屋５の温度上昇を抑止できないことになる。
【００２６】
また、床下換気装置９０の開閉板９１は、床下換気口３５を閉鎖している状態では、図１３に示すように、重心Ｇが支軸９２を通る鉛直線Ｌ上に位置するため、いわゆる中立状態（ニュートラル）となり振れやすい。しかも、図１４に示すように、ストッパ９５によって回動範囲が狭められた状態では、開閉板９１は外気や内気の風圧の変動等によって図中左右方向に触れて床下換気口３５の内側開口部に頻繁に当接し、当接時の衝突音が床下換気口３５で共鳴して騒音（パタパタ音）を発生させやすい。
【００２７】
また、寒い冬場に、図１５に示すロック手段９６で開閉板９１を床下換気口３５の内側開口部に押し付けて閉鎖する場合に、例えば支軸９２近くの内側開口部の縁部分にゴミなどの異物Ｅが付着していると、当該異物Ｅに邪魔されて開閉板９１を十分に閉じることができず、冷たい外気が床下空間３０に大量に流入してしまい各部屋５を暖めることができない事態が生じることがある。
【００２８】
本発明の目的は、騒音の発生を効果的に抑えつつ、十分な量の外気を床下空間内の底部へ向けて流入させて冷気の上昇を促進することができるとともに、床下換気口を密閉度高く閉鎖できる床下換気装置を提供することにある。
【課題を解決するための手段】
【００２９】
請求項１の発明は、床下換気口から床下空間内へ流入した外の空気が当該床下空間と小屋裏空間とを連通する空気流通層を上昇して小屋裏換気口から排出可能に形成された住宅に適用される床下換気装置において、床下換気口の内側端部を開閉可能に形成された蓋部とカウンタウエイト部とを有するウイングを備え、このウイングの両側面に、それぞれ支軸を当該ウイングの重心の近傍でかつ当該重心よりも床下換気口の内側端部寄りとなるように突設し、ウイングの支軸を回動可能に保持するとともに当該ウイングの前面および背面に作用する風圧によって床下換気口の内側端部から遠ざかる方向および接近する方向に横移動可能に保持する支軸保持部を設け、床下換気口内に保持部材を介して横方向に移動可能に設けられた作動棒と、この作動棒を床下空間へ向けて付勢する押圧ばねと、ウイングが閉方向へ回動して床下換気口の内側端部近傍の当接直前位置に達した場合に当該ウイングの前面の所定部位と棒先端部が当接するような作動状態位置に作動棒を位置決め保持しかつ床下換気口の内側端部と当接した状態のウイングの前面から所定距離離れた待機位置に作動棒を係止する位置決め保持機構と、作動棒の棒先端部とウイングの前面の所定部位とを連結する柔軟な連結紐とを含み、連結紐は作動棒が作動状態位置にある場合にはウイングの開方向の回動を許容しかつ作動棒が待機位置に位置決め保持されている場合にはウイングが床下換気口の内側端部と当接した状態を保持しうるような長さを有するように形成された防音・換気口閉鎖装置と、を具備するものである。
【００３０】
上記構成の発明の場合、例えば暑い夏場は位置決め保持機構によって作動棒を作動状態位置に位置決め保持する。これにより、ウイングは開閉可能となり、外の空気（風）が床下換気口を通って床下空間へ流入可能となる。
【００３１】
ここで、床下換気口を通過してきた外の空気の圧力（風圧）が床下空間内の空気の圧力よりも大きい場合、ウイングがその前面に作用する外の空気の風圧で支軸が床下換気口から遠ざかる方向へ横移動するとともに、開方向に回動して当該流入空気を床下空間の底部（土間コンクリート等）へ案内する。
【００３２】
このように、ウイングが外の空気の風圧によって横移動する分だけ、従来の床下換気装置の開閉板よりは開き量を大幅に増大させることができる。したがって、十分な量の外気を床下空間内の底部へ向けて流入させて冷気の上昇を促進することができる。
【００３３】
ここで、ウイングが風圧の変動等によって振れて開放された位置から閉方向に回動したような場合、このウインドウが床下換気口の内側端部近くの当接直前位置に達したときに当該ウイングの前面に作動棒の棒先端部が当たり、このウイングには作動棒を介して押圧ばねの弾性力が掛かる。これにより、ウイングの閉方向へ回動しようとする勢いが弱まり、当該ウイングが床下換気口の内側端部に強く当接するのが阻止される。その結果、ウイングが床下換気口の内側端部に当接するごとに出る耳障りな音（床下換気口が共鳴箱の役目をして予想外に大きな音となる）の発生を効果的に抑えられる。
【００３４】
また、床下空間内を流動する空気（内気）の風圧が外の空気の風圧よりも大きくなった場合、ウイングの背面に作用する内気の風圧で支軸が床下換気口へ接近する方向へ横移動するとともに、ウイングが閉方向に回動して床下換気口を閉鎖する。
【００３５】
この際、ウイングは、その重心が支軸の近傍でかつ当該支軸を通る鉛直線を境界線として床下換気口とは反対側の領域にあるので、重力モーメントによって当該床下換気口を押圧する。すなわち、中立状態（ニュートラル）にはないので、内気の圧力変動等によって、例えばウイングが床下換気口の内側端部から離される方向（開方向）へ付勢されても振れにくい。また、上記したようにウイングは当接直面位置に達すると作動棒を介して押圧ばねによって回動の勢いが弱められるので、ウイングが床下換気口の内側端部に強く当接して耳障りな音が出るのを効果的に抑えられる。
【００３６】
以上から、床下換気口を介して床下空間内に外の空気が入ってくる場合および中の空気が外に出てゆく場合のいずれの場合にも、騒音の発生を抑止できる。
【００３７】
なお、冬場には、作動棒を待機位置に位置決め保持することで、床下換気口はウイングの蓋部で閉鎖される。すなわち、作動棒が待機位置に位置決め保持されると、ウイングの作動状態時には弛んでいた連結紐が直線状に張りウイングには当該ウイングの張力が加わる。これにより、ウイングは閉方向に強く引っ張られることになり床下換気口の内側端部に強く当接することになる（床下換気口はウイングの蓋部で閉鎖される。）。
【００３８】
請求項２の発明は、前記支持保持部が、前記ウイングの幅以上の間隔をあけて対向配設された一対の支持板に設けられた支持溝からなり、当該両支持溝はその幅が前記ウイングの支軸の直径よりも大きくかつ床下換気口の内側端部よりも床下空間側へ遠く離れるにしたがって高さレベルが連続的に下がるよう斜めの溝となっていることを特徴とするものである。
【００３９】
上記構成の発明では、ウイングは、開放時に外からの空気の圧力（風圧）と自らの重さ（自重）によって、支軸を介して支持板の支持溝横内を滑って横方向へ移動する。そして、ウイングは支持板の支持溝横の下端まで達して横方向移動を止め当該箇所で開方向へ回動する。この際、支持板の支持溝は、その幅がウイングの支軸の直径よりも大きいので、当該支軸と接触する部分が少なく、そのため、ウイングの回動の抵抗（摩擦抵抗）が少なく、ウイングは円滑に開方向に回動する。したがって、請求項１記載の発明の場合と同様な作用・効果を奏し得る他、構成を簡易化してウイングの開放運動を一段と円滑に行える。
【００４０】
請求項３の発明は、前記作動棒の棒先端部に装着可能で前記ウイングが閉方向回動時に半開き位置よりは回動しないように回動を規制する半開き用付属部材を備えたことを特徴とするものである。
【００４１】
上記構成の発明の場合、例えば梅雨時には、床下空間を外と連通させて当該床下空間に湿気が篭らないようにしておく措置が必要なことがあるが、かかる場合には半開き用付属部材を使用して、ウイングを半開き状態にしておけばよい。したがって、請求項１又は２記載の発明の場合と同様な作用・効果を奏し得る他、簡単な構成でウイングを半開き状態にして床下空間を外と連通させて当該床下空間に湿気が篭らないようにすることができる。
【００４２】
請求項４の発明は、前記作動棒の棒先端部が当たる前記ウイングの前面部位に衝撃を吸収する部材を貼着したことを特徴とするものである。
【００４３】
上記構成の発明の場合、請求項１〜３記載の発明のいずれかの場合と同様な作用・効果を奏し得る他、一段と効果的に騒音の発生を防止できる。
【００４４】
請求項５の発明は、前記ウイングの背面を、前記床下換気口の内側端部を閉鎖した場合に斜め下方を向くように形成したものである。
【００４５】
上記構成の発明の場合、ウイングの背面に風圧が作用した場合、当該ウイングは風圧によって上方向に付勢されて床下換気口の内側端部に迅速に当接する。したがって、請求項１〜４記載の発明のいずれかの場合と同様な作用・効果を奏し得る他、ウイングによる床下換気口の閉鎖が一段と円滑かつ確実に行われるようになる。
【００４６】
請求項６の発明は、前記床下換気口の内側端部を前記床下空間の底面に対向する斜め下向きに形成したことを特徴とするものである。
【００４７】
上記構成の発明の場合、請求項１〜５記載の発明のいずれか場合と同様な作用・効果を奏し得る他、一段と十分な量の外気を床下空間内の底部へ向けて流入させて冷気の上昇を促進することができる。
【００４８】
請求項７の発明は、前記防音・換気口閉鎖装置の連結紐が、前記作動棒が作動状態位置に位置決めされている場合に前記ウイングのカウンタウエイト部が床下換気口の内側端部と当接する位置まで開方向に回動するのを規制する長さとなるように形成したものである。
【００４９】
上記構成の発明の場合、ウイングのカウンタウエイト部が床下換気口の内側端部と当接するのが阻止される。そのため、当接時の騒音の派生が阻止される。したがって、請求項１〜６記載の発明のいずれかの場合と同様な作用・効果を奏し得る他、騒音の発生を一段と抑止できる。
【００５０】
請求項８の発明は、前記作動棒を前記床下換気口外側端部から手を入れて操作して作動状態または待機状態に切換え可能な構成したものである。
【００５１】
上記構成の発明の場合、請求項１〜７記載の発明のいずれかの場合と同様な作用・効果を奏し得る他、作動棒の作動状態位置と待機位置への位置切換を一段と簡単に行える。
【発明の効果】
【００５２】
請求項１の発明によれば、床下換気口の内側端部を開閉可能なウイングと、このウイングの支軸を横移動可能および回動可能に保持する支軸保持部と、作動棒と押圧ばねと位置決め保持機構と連結紐とからなる防音・換気口閉鎖装置とを具備した構成であるから、騒音の発生を効果的に抑えつつ、十分な量の外気を床下空間内の底部へ向けて流入させて冷気の上昇を促進することができるとともに、床下換気口を密閉度高く閉鎖できる。
【００５３】
請求項２の発明によれば、支持保持部が、ウイングの幅以上の間隔をあけて対向配設された一対の支持板に設けられた支持溝からなり、当該両支持溝はその幅がウイングの支軸の直径よりも大きくかつ床下換気口の内側端部よりも床下空間側へ遠く離れるにしたがって高さレベルが連続的に下がるよう斜めの溝となっている構成であるので、請求項１記載の発明の場合と同様な作用・効果を奏し得る他、構成を簡易化してウイングの開放運動を一段と円滑に行える。
【００５４】
請求項３の発明によれば、作動棒の棒先端部に装着可能でウイングが閉方向回動時に半開き位置よりは回動しないように回動を規制する半開き用付属部材を備えた構成であるから、請求項１又は２記載の発明の場合と同様な作用・効果を奏し得る他、簡単な構成でウイングを半開き状態にして床下空間を外と連通させて当該床下空間に湿気が篭らないようにすることができる。
【００５５】
請求項４の発明によれば、作動棒の棒先端部が当たるウイングの前面部位に衝撃を吸収する部材を貼着した構成であるので、請求項１〜３記載の発明のいずれかの場合と同様な作用・効果を奏し得る他、一段と効果的に騒音の発生を防止できる。
【００５６】
請求項５の発明によれば、ウイングの背面を、床下換気口の内側端部を閉鎖した場合に斜め下方を向くように形成したので、請求項１〜４記載の発明のいずれかの場合と同様な作用・効果を奏し得る他、ウイングによる床下換気口の閉鎖が一段と円滑かつ確実に行われるようになる。
【００５７】
請求項６の発明によれば、床下換気口の内側端部を床下空間の底面に対向する斜め下向きに形成したので、請求項１〜５記載の発明のいずれか場合と同様な作用・効果を奏し得る他、一段と十分な量の外気を床下空間内の底部へ向けて流入させて冷気の上昇を促進することができる。
【００５８】
請求項７の発明によれば、防音・換気口閉鎖装置の連結紐が、作動棒が作動状態位置に位置決めされている場合に前記ウイングのカウンタウエイト部が床下換気口の内側端部と当接する位置まで開方向に回動するのを規制する長さとなるように形成したので、請求項１〜６記載の発明のいずれかの場合と同様な作用・効果を奏し得る他、騒音の発生を一段と抑止できる。
【００５９】
請求項８の発明によれば、作動棒を床下換気口外側端部から手を入れて操作して作動状態または待機状態に切換え可能な構成したので、請求項１〜７記載の発明のいずれかの場合と同様な作用・効果を奏し得る他、作動棒の作動状態位置と待機位置への位置切換を一段と簡単に行える。
【発明を実施するための最良の形態】
【００６０】
以下、本発明の実施の形態を図面を参照しながら説明する。
【００６１】
本床下換気装置５０は、図１〜図３に示すように、床下換気口５７の内側端部５７ａを開閉可能なウイング６１と、このウイング６１の支軸（６５，６５）を横移動可能および回動可能に保持する支軸保持部（５３，５３）と、作動棒７５と押圧ばね７９と位置決め保持機構８１と連結紐８９とからなる防音・換気口閉鎖装置７０とを具備した構成とされている。
【００６２】
なお、本床下換気装置５０が適用される住宅の全体構造は、従来例（図１１，図１２）と同様であるので、共通する構成要素については同一の符号を付し、その説明を簡略化または省略する。
【００６３】
具体的には、ウイング６１は、図２及び図３に示すように、床下換気口５７の内側端部５７ａを開閉可能に形成された蓋部６２とカウンタウエイト部６３とを有している。ウイング６１は、前面部６１Ｆが硬質プラスチックで形成されており、その他の部分は主に発泡プラスチックで形成されている。このウイング６１の両側面には、図３に示すように、それぞれ支軸（６５，６５）が当該ウイング６１の重心Ｇの近傍でかつ当該重心Ｇよりも床下換気口５７の内側端部５７ａ寄りとなるように突設されている。この実施形態では、ウイング６１の両支軸（６５，６５）は、上記前面６１Ｆと一体形成されており硬質プラチック製とされている。
【００６４】
なお、上記ウイング６１の背面６１Ｒは、図５に示すように、床下換気口５７の内側端部５７ａを閉鎖した場合に斜め下方を向くように形成されている。ウイング６１は、図４および図５に示すように、カウンタウエイト部６３によって重心Ｇを上げられており、当該重心Ｇが支軸６５の近傍でかつ当該支軸６５を通る鉛直線（Ｌ１）を境界線として床下換気口５７とは反対側の領域に位置するように支軸６５を介して支軸保持溝５３に保持されている。なお、図４および図５で、Ｇ１はウイング６１の蓋部６２の重心、Ｇ２はカウンタウエイト部６３の重心である。また、ウイング６１の蓋部６２は、その横断面形状が床下換気口５７の内側端部５７ａに向けて凹となるように形成されている。
【００６５】
次に、本床下換気装置５０は、図２および図３に示すように、両脇に張り出し部（５２，５２）が形成された本体５１を有している。この実施形態では、本体５１は、床下換気口５７の一部をなす円筒部を有している。この円筒部外側端部および内側端部は開口されており、当該内側端部（すなわち、床下換気口５７の内側端部５７ａ）は、図１に示すように、床下空間３０の底面（土間コンクリート３２）に対向する斜め下向きに形成されている。
【００６６】
この本体５１は、主に硬質のプラスチック材料で形成されており、その一部（図示省略）が発泡スチロール材料で被覆されており断熱が図られている。上記した両張り出し部（５２，５２）は、図３に示すように、ウイング６１の幅以上の間隔をあけて対向配設された一対の支持板の役割を果たすものである。
【００６７】
上記した突き出し部（５２，５２）には、ウイング６１の支軸（６５，６５）を回動可能に保持するとともに当該ウイング６１の前面６１Ｆおよび背面６１Ｒに作用する風圧によって床下換気口５７の内側端部５７ａから遠ざかる方向および接近する方向に横移動可能（図２では左右方向）および回動可能に保持する支軸保持部が設けられている。
【００６８】
具体的には、支軸保持部は、上記した両突き出し部（５２，５２）に設けられた支持溝５３からなる。両張り出し部（５２，５２）に設けられた支持溝（５２，５２）は、その幅がウイング６１の支軸（６５，６５）の直径よりも大きくかつ床下換気口５７の内側端部５７ａよりも床下空間３０側へ遠く離れるにしたがって高さレベルが連続的に下がるよう斜めの溝となっている。なお、図１において、６５はウイング６１の支軸（６５，６５）を支持溝（５２，５２）に挿入するための差込溝である。
【００６９】
次に、防音・換気口閉鎖装置７０は、図２に示すように、床下換気口５７内に保持部材７１を介して横方向に移動可能に設けられた作動棒７５と、この作動棒７５を床下空間３０へ向けて付勢する押圧ばね７９と、ウイング６１が閉方向へ回動して床下換気口５７の内側端部５７ａ近傍の当接直前位置に達した場合に当該ウイング６１の前面６１Ｆの所定部位と棒先端部７５ａが当接するような作動状態位置（図２，図４および図６に実線で示す位置）に作動棒７５を位置決め保持しかつ床下換気口５７の内側端部５７ａと当接した状態のウイング６１の前面６１Ｆから所定距離離れた待機位置（図６に実線で示す位置）に作動棒７５を係止する位置決め保持機構８１と、ウイング６１の前面６１Ｆの所定部位とを連結する柔軟な連結紐８９とを含み、連結紐８９は作動棒７５が作動状態位置にある場合にはウイング６１の開方向（図１中矢印Ｒ方向）の回動を許容しかつ作動棒７５が待機位置に位置決め保持されている場合にはウイング６１が床下換気口５７の内側端部５７ａと当接した状態を保持しうるような長さを有するように形成された構成とされている。
【００７０】
この実施形態では、作動棒７５は、図８（Ａ），（Ｂ），（Ｃ）に示すように、丸棒状とされており、その基端部には手で操作するためのハンドル部７６が設けられている。この作動棒７５の棒先端部７５ａ近傍にはばね押さえ７７が装着されているとともに連続紐８９の一端部を固定するための止め部７８が設けられている。
【００７１】
保持部材７１は、作動棒７５を保持するための部材であり、図２および図９に示すように、上下端部が床下換気口５７の内周面５７ｃに固定された薄肉部７２と、この薄肉部７２の中央部に一体形成されており作動棒７５を横方向移動可能に保持する貫通穴（小径穴，太径穴）７３ｈを有するボス部７３と、このボス部７３の外周に横方向に伸延するように形成されたガイド突条７４とから構成されている。薄肉部７２は、図９（Ｂ）に示すように、空気の流通を極力妨げないように薄く形成されている。上記した作動棒７５は、保持部材７１のボス部７３の貫通穴７３ｈに横方向に移動自在に保持されており、当該ボス部７３と作動棒７５のばね押さえ７７との間には押圧ばね７９が介装されている。したがって、作動棒７５は、押圧はね７９の弾性力によって床下空間３０に向けて（図１，図２，図５では左方向に向けて）付勢されている。
【００７２】
位置決め保持機構８１は、図８（Ａ），（Ｂ），（Ｃ）に示すように、作動棒７５の側面に設けられた位置規制突起８２と、保持部材７１のボス部７３の前面に設けられており位置規制突起８２と摺接する切欠き８７が形成された係止円板部８５とから構成されている。位置規制突起８２が床下空間３０に向けての横移動を係止円板部８５に妨げられない状態で、当該突起８２の基端部８３が保持部材７１のボス部７３の前面７３ｆによって係止された状態とすれば、作動棒７５は作動状態位置に位置決め保持される。床下換気口５７の外側端部５７ｂから手を入れて、図６に示すように、作動棒７５のハンドル部７６を摘んで当該作動棒７５を外側へ引っ張った後に軸線を中心として回動させれば、位置規制突起８２の先端部８４を係止円板部８５の前面８６に係止させれば、当該作動棒７５は待機位置に位置決め保持される。
【００７３】
連結紐８９は、作動棒７５が作動状態位置に位置決めされている場合にウイング６１のカウンタウエイト部６３が床下換気口５７の内側端部５７ａと当接する位置まで開方向に回動するのを規制する長さとなるように形成されている。
【００７４】
なお、上記した押圧ばね７９は、ウイング６１の閉方向回転時の運動エネルギを完全に吸収してしまうような弾性力は有しておらず、当該運動エネルギの一部を吸収して当該ウイング６１が床下換気口５７の内側端部５７ａと激しく当接することなく静かに当接するような弾性力を有するものとされている。
【００７５】
また、作動棒７５の棒先端部７５ａが当たるウイング６１の前面６１Ｆの部位には、衝撃を吸収する部材９９を貼着されている。また、作動棒７５は、床下換気口５７の外側端部５７ｂから手を入れて操作して作動状態または待機状態に切換え可能に構成されている。
【００７６】
なお、本床下換気装置５０は、図７に示すように、作動棒７５の棒先端部５７ａに装着可能でウイング６１が閉方向回動時に半開き位置よりは回動しないように回動を規制する半開き用付属部材９８を備えている。この実施形態では、半開き用付属部材９８は透明のプラスチック材料で形成されている。
【００７７】
次に、この実施形態の作用について説明する。
【００７８】
例えば、暑い夏場は、作動棒７５を床下換気口５７の外側端部５７ｂから手を入れて操作して作動状態位置に位置決め保持する。なお、作動棒７５を待機位置に位置決め保持していた状態から作動状態位置に切り換える場合には、ウイング６１が床下換気口５７の内側端部５７ａに強く密着してしまって離れない場合もあるので、この場合には作動棒７５を作動状態位置よりも床下空間３０側へ突き出すようにしてウイング６１を突付いてやれば、当該ウイング６１が床下換気口５７の内側端部５７ａから離れて円滑に開閉する状態となる。
【００７９】
ここで、床下換気口５７を通過してきた外の空気（ＡＲ）の圧力（風圧）が床下空間３０内の空気の圧力よりも大きい場合、ウイング６１がその前面６１Ｆに作用する外の空気（ＡＲ）の風圧で支軸（６５，６５）が床下換気口５７から遠ざかる方向へ横移動するとともに、開方向に回動して当該流入空気を床下空間３０の底部（土間コンクリート３２等）へ案内する。
【００８０】
このように、ウイング６１が外の空気（ＡＲ）の風圧によって横移動する分だけ、従来の床下換気装置の開閉板よりは開き量を大幅に増大させることができる。したがって、十分な量の外気（ＡＲ）を床下空間３０内の底部（土間コンクリート３２）へ向けて流動させることができる。
【００８１】
これにより、十分な量の空気（ＡＲ）が冷気蓄熱部（ＣＡ）吐十分に接触あるいは混入して冷やされたり、既に十分に冷やされている空気が攪拌されて冷気蓄熱部（ＣＡ）よりも上方部分へ移動する。これにより、冷気の上昇を促進することができる。その結果、図１０に示す各部屋５の温度上昇を抑制できる。
【００８２】
ここで、ウイング６１が風圧の変動等によって振れて開放された位置から閉方向に回動したような場合、このウイング６１が床下換気口５７の内側端部５７ａ近くの当接直前位置に達したときに当該ウイング６１の前面６１Ｆに作動棒７５の棒先端部７５ａが当たり、このウイング６１には作動棒７５を介して押圧ばね７９の弾性力が掛かる。これにより、ウイング６１の閉方向へ回動しようとする勢いが弱まり、当該ウイング６１が床下換気口５７の内側端部５７ａに強く当接するのが阻止される。その結果、ウイング６１が床下換気口５７の内側端部５７ａに当接するごとに出る耳障りな音（床下換気口５７が共鳴箱の役目をして予想外に大きな音となる）の発生を効果的に抑えられる。
【００８３】
また、床下空間３０内を流動する空気（内気ＡＲ）の風圧が外の空気の風圧よりも大きくなった場合、ウイング６１の背面に作用する内気（ＡＲ）の風圧で支軸（６５，６５）が床下換気口５７へ接近する方向へ横移動するとともに、ウイング６１が閉方向に回動して床下換気口５７を閉鎖する。
【００８４】
この際、ウイング６１は、その重心Ｇが支軸（６５，６５）の近傍でかつ当該支軸（６５，６５）を通る鉛直線（Ｌ１）を境界線として床下換気口５７とは反対側の領域にあるので、重力モーメントによって当該床下換気口５７を押圧する。すなわち、中立状態（ニュートラル）にはないので、内気の圧力変動等によって、例えばウイング６１が床下換気口５７の内側端部５７ａから離される方向（開方向）へ付勢されても振れにくい。また、上記したようにウイング６１は当接直面位置に達すると作動棒７５を介して押圧ばね７９によって回動の勢いが弱められるので、ウイング６１が床下換気口５７の内側端部５７ａに強く当接して耳障りな音が出るのを効果的に抑えられる。
【００８５】
以上から、床下換気口５７を介して床下空間３０内に外の空気が入ってくる場合および中の空気が外に出てゆく場合のいずれの場合にも、騒音の発生を抑止できる。
【００８６】
寒い冬場には、作動棒７５を図６に示すように、待機位置に位置決め保持することで、床下換気口５７はウイング６１の蓋部６２で閉鎖される。すなわち、作動棒７５が待機位置に位置決め保持されると、ウイング６１の作動状態時には弛んでいた連結紐８９が直線状に張り当該ウイング６１には連結紐８９の張力が加わる。これにより、ウイング６１は閉方向に強く引っ張られることになり床下換気口５７の内側端部５７ａに強く当接することになる（床下換気口５７はウイング６１の蓋部で閉鎖される。）。
【００８７】
なお、上記実施形態では、本床下換気装置を高気密・高断熱住宅に適用した場合について述べたが、それ以外の床下換気口から床下空間内へ流入した外の空気が当該床下空間と小屋裏空間とを連通する空気流通層を上昇して小屋裏換気口から排出可能に形成された住宅にも適用可能である。
【図面の簡単な説明】
【００８８】
【図１】本発明に係る床下換気装置を説明するための図である。
【図２】本装置の各種構成要素を詳細に説明するための図である。
【図３】本体とウイングとの位置関係を説明するための側面図である。
【図４】ウイングの開方向回動を説明するための説明するための図である。
【図５】ウイングの閉方向回動を説明するための説明するための図である。
【図６】ウイングが閉鎖状態に保持された状態を示す図である。
【図７】ウイングが半開き状態とされた図である。
【図８】作動棒および位置決め保持機構の一部を説明するための図である。
【図９】保持部材を説明するための図である。
【図１０】本発明が適用された住宅の構成を説明するための図である。
【図１１】高気密・高断熱住宅の従来構成を説明するための図である。
【図１２】夏場における空気の排出動作を説明するための図である。
【図１３】床下換気装置の従来構成を説明するための図である。
【図１４】開閉板の回動範囲を狭めた状態を説明するための図である。
【図１５】開閉板をロックする際の不都合を説明するための図である。
【符号の説明】
【００８９】
３０    床下空間
３２    土間コンクリート
５０    床下換気装置
５１    本体
５３    支軸保持溝
５７ｂ    外側端部
５７    床下換気口
５７ａ    内側端部
６１      ウイング
６１Ｆ    前面
６１Ｒ    背面
６２    蓋部
６３    カウンタウエイト部
６５    支軸
７０    防音・換気口閉鎖装置
７１    保持部材
７５    作動棒
７５ａ    棒先端部
７９    押圧ばね
８１    位置決め保持機構
８９    連結紐  
【図１】
2006046669.tif 000003
【図２】
2006046669.tif 000004
【図３】
2006046669.tif 000005
【図４】
2006046669.tif 000006
【図５】
2006046669.tif 000007
【図６】
2006046669.tif 000008
【図７】
2006046669.tif 000009
【図８】
2006046669.tif 000010
【図９】
2006046669.tif 000011
【図１０】
2006046669.tif 000012
【図１１】
2006046669.tif 000013
【図１２】
2006046669.tif 000014
【図１３】
2006046669.tif 000015
【図１４】
2006046669.tif 000016
【図１５】
2006046669.tif 000017